(57)【要約】【課題】  矯正レンズの処方をより好適に行いやすくすること。【解決手段】レンズ処方補助装置１は、被検眼全体の屈折に関する屈折情報を含む被検眼の特性に関する情報と、屈折情報に少なくとも基づいて生成され、矯正レンズの処方を想定した被検眼の見え方を示す矯正シミュレーション情報と、を取得する。そして、被検眼の特性に関する情報であり、且つ、矯正レンズの処方に用いられる情報が集約される基本情報レポート、矯正シミュレーション情報が少なくとも含まれるシミュレーションレポート、および、眼球モデル画像を含む眼図レポートであって、更に、矯正シミュレーション情報による見え方に影響を与える被検眼の特性に関する情報の少なくとも一部が、眼球モデル画像における各々の眼球部位と対応付けられて表示される眼図レポート、を生成し、少なくともいずれかのレポートを選択的にモニタ５０に表示させる。  を備える【選択図】      図２
2018038497.tif 000002
【特許請求の範囲】
【請求項１】
被検眼全体の屈折に関する屈折情報を含む被検眼の特性に関する情報と、前記屈折情報に少なくとも基づいて生成され、矯正レンズの処方を想定した被検眼の見え方を示す矯正シミュレーション情報と、を取得する取得手段と、
前記被検眼の特性に関する情報であり、且つ、矯正レンズの処方に用いられる情報が集約される第１のレポート、
前記矯正シミュレーション情報が少なくとも含まれる第２のレポート、
および、眼球モデル画像を含む第３のレポートであって、更に、前記矯正シミュレーション情報による見え方に影響を与える前記被検眼の特性に関する情報の少なくとも一部が、眼球モデル画像における各々の眼球部位と対応付けられて表示される第３のレポート、
を生成し、少なくともいずれかのレポートを選択的にモニタに表示させる表示制御手段と、
を備えるレンズ処方補助装置。
【請求項２】
前記取得手段は、昼間時と夜間時との両方における被検眼の特性に関する情報、および、前記シミュレーション情報を取得し、
前記表示制御手段は、前記第１のレポート、前記第２のレポート、および、前記第３のレポートのそれぞれにおいて、昼間時と夜間時との両方における前記被検眼の特性に関する情報または前記シミュレーション情報を表示させる請求項１記載のレンズ処方補助装置。
【請求項３】
前記表示制御手段は、前記第１のレポートにおける夜間時における被検眼の屈折情報として、昼間時との差分情報を表示させる請求項２記載のレンズ処方補助装置。
【請求項４】
前記表示制御手段は、前記第２のレポートにおいて、前記第１シミュレーション情報と共に、矯正状態における被検眼のコントラスト視力の予測値を示すコントラスト視力情報を、更に表示させる請求項１から３のいずれかに記載のレンズ処方補助装置。
【請求項５】
前記第１シミュレーション情報において想定される矯正レンズの度数を、操作部の操作に応じて変更させる矯正度数変更手段を有し、
前記取得手段は、前記矯正度数変更手段によって変更された矯正レンズの度数を、少なくとも前記第２のレポートにおける前記第１シミュレーション情報において反映させる請求項１から４の何れかに記載のレンズ処方補助装置。
【請求項６】
前記矯正レンズは、眼鏡レンズであり、
前記取得手段は、更に、被検眼に対して前記眼鏡レンズが配置される位置に関するポジション情報を取得し、
前記ポジション情報を、前記第１のレポートにおいて表示させる請求項１から５のいずれかに記載のレンズ処方補助装置。
【請求項７】
被検眼全体の屈折に関する屈折情報を含む被検眼の特性に関する情報と、前記屈折情報に少なくとも基づいて生成され、矯正レンズの処方を想定した被検眼の見え方を示す矯正シミュレーション情報と、を取得する取得手段と、
前記被検眼の特性に関する情報であり、且つ、矯正レンズの処方に用いられる情報が集約される第１のレポート、
および、
前記矯正シミュレーション情報と、眼球モデル画像と、を含む第３のレポートであって、前記矯正シミュレーション情報による見え方に影響を与える前記被検眼の特性に関する情報の少なくとも一部が、眼球モデル画像における各々の眼球部位と対応付けられて表示される第３のレポート、
を生成し、少なくともいずれかのレポートを選択的にモニタに表示させる表示制御手段と、
を備えるレンズ処方補助装置。
【請求項８】
コンピュータのプロセッサで実行されることにより、
被検眼全体の屈折に関する屈折情報を含む被検眼の特性に関する情報と、前記屈折情報に少なくとも基づいて生成され、矯正レンズの処方を想定した被検眼の見え方を示す矯正シミュレーション情報と、を取得する取得ステップと、
前記被検眼の特性に関する情報であり、且つ、矯正レンズの処方に用いられる情報が集約される第１のレポート、
前記矯正シミュレーション情報が少なくとも含まれる第２のレポート、
および、眼球モデル画像を含む第３のレポートであって、更に、前記矯正シミュレーション情報による見え方に影響を与える前記被検眼の特性に関する情報の少なくとも一部が、眼球モデル画像における各々の眼球部位と対応付けられて表示される第３のレポート、
を生成し、少なくともいずれかのレポートを選択的にモニタに表示させる表示制御ステップと、
を前記コンピュータに実行させるレンズ処方補助プログラム。
【請求項９】
コンピュータのプロセッサで実行されることにより、
被検眼全体の屈折に関する屈折情報を含む被検眼の特性に関する情報と、前記屈折情報に少なくとも基づいて生成され、矯正レンズの処方を想定した被検眼の見え方を示す矯正シミュレーション情報と、を取得する取得ステップと、
前記被検眼の特性に関する情報であり、且つ、矯正レンズの処方に用いられる情報が集約される第１のレポート、
および、
前記矯正シミュレーション情報と、眼球モデル画像と、を含む第３のレポートであって、前記矯正シミュレーション情報による見え方に影響を与える前記被検眼の特性に関する情報の少なくとも一部が、眼球モデル画像における各々の眼球部位と対応付けられて表示される第３のレポート、を生成し、少なくともいずれかのレポートを選択的にモニタに表示させる表示制御ステップと、
を前記コンピュータに実行させるレンズ処方補助プログラム。
【発明の詳細な説明】
【技術分野】
【０００１】
本開示は、検眼結果に基づいて眼鏡の処方を補助するためのレンズ処方補助装置およびレンズ処方補助プログラムに関する。
【背景技術】
【０００２】
従来より、被検眼の屈折力に関する情報を他覚的に測定する検眼装置が知られている。検眼装置による他覚測定の結果は、例えば、モニタに表示される等の出力を経て、眼鏡レンズ等の矯正レンズの処方に活用される。
【０００３】
例えば、本件出願人による特許文献１には、被検眼の眼球を模した眼球モデル画像における眼球の部位ごとに、その部位と対応する被検眼の他覚測定の結果に関する情報が、対応づけられて表示される装置が、開示されている。
【先行技術文献】
【特許文献】
【０００４】
【特許文献１】特開２０１５−１４４７３０号公報
【発明の概要】
【発明が解決しようとする課題】
【０００５】
しかし、特許文献１に開示された眼球モデル画像を用いた表示に含まれる情報のみでは、検者が自覚検査および矯正レンズの処方を進めるうえで不十分であった。本発明者は、自覚検査および矯正レンズの処方を行ううえで有用な情報を、検者および被検者にわかり易く把握させるための表示方法について、検討を行った。
【０００６】
また、本発明者は、眼鏡店等において通常在庫されている矯正レンズを処方する場合であっても、レフ値以外の種々の条件を考慮した、より高い質の見え方となるレンズ処方を、検者および被検者に促しやすい表示について、検討を行った。
【０００７】
本開示は、上記事情の少なくとも１つに基づいてなされたものであり、矯正レンズの処方をより好適に行いやすいレンズ処方補助装置およびレンズ処方補助プログラムの提供を目的とする。
【図面の簡単な説明】
【０００８】
【図１】本開示に係るレンズ処方補助装置の概要を示した模式図である。
【図２】実施例における基本情報レポートを示した図である。
【図３】実施例におけるシミュレーションレポートを示した図である。
【図４】実施例における眼図レポートを示した図である。
【発明を実施するための形態】
【０００９】
以下、実施形態に基づいて本開示を説明する。
はじめに、図１を参照し、実施形態に係るレンズ処方補助装置（以下、「本装置」と称する）１の概略を説明する。本装置１は、コンピュータであり、そのプロセッサにおいて、本実施形態に係るレンズ処方補助プログラムが実行される。
【００１０】
レンズ処方補助プログラムが実行されることで、本装置１は、レンズ処方に有用な情報を、３つのレポートによって、検者と被検者とに示す。３つのレポートによって、被検眼における見え方を示したシミュレーション情報、および、被検眼の特性を示す情報が少なくとも示される。以下の説明では３つのレポートを、便宜上、『基本情報レポート』、『シミュレーションレポート』、および、『眼図レポート』と称す。本装置１は、３つのレポートのうち１つを、選択的にモニタ上に表示させてもよい。
【００１１】
以下の実施例では、本装置１によって、矯正レンズの一種である眼鏡レンズを処方するための表示が行われる場合を説明する。但し、必ずしもこれに限られるものではなく、コンタクトレンズの処方にも、本装置１は利用可能である。
【００１２】
本装置１は、少なくとも、制御部（本装置１のプロセッサ）３０と、メモリ３１と、を有する。制御部３０は、本装置１における各種の演算処理、各部の制御、および、各種のレポートの表示制御等を司る。
【００１３】
本実施例において、レンズ処方補助プログラムは、メモリ３１に予め記憶されていてもよい。また、別の実施例では、メモリ３１の代わりに、本装置１に対して着脱可能な記憶媒体（例えば、フラッシュメモリ、外付けハードディスク等。図示は省略する。）に予め記憶されていてもよい。
【００１４】
また、メモリ３１には、被検眼の特性に関する情報が格納されてもよい。被検眼の特性に関する情報としては、例えば、検眼装置による各種測定結果、および、被検眼の各種撮影結果等が挙げられる。制御部３０は、これらの測定結果、撮影結果、或いは、それらを更に処理した結果を、各々のレポートの中で表示させる。
【００１５】
各々のレポートが表示されるモニタ５０は、本装置１に予め備え付けられたものであってもよいし、別体であってもよい。
【００１６】
本装置１は、検眼装置と別体であってもよいし、一体の装置であってもよい。実施例の本装置１は、検眼装置の一例である波面センサと一体化されており、被検眼の裸眼波面収差データ（屈折情報の一種）を測定するための測定光学系１００を有している。裸眼波面収差データは、被検眼における波面収差の分布を示すデータ（波面収差分布データと称する）であってもよい。
なお、本装置１は、自覚検査装置と一体化された装置であってもよい。また、本装置１が別体の装置である場合、本装置１は、例えば、ＰＣまたはタブレット等の汎用のコンピュータの構成であってもよい。この場合、本装置１は、各種情報（後述の被検眼における見え方を示したシミュレーション情報、および、被検眼の特性を示す情報、等の取得を含む）を、検眼装置から直接取得してもよいし、ネットワークで接続された他の装置から取得してもよい。
【００１７】
また、本装置１は、検眼装置および眼鏡店に置かれたクライアント端末とネットワークで接続されるサーバー（例えば、クラウドサーバ）であってもよい。
【００１８】
測定光学系１００は、例えば、位相差方式の波面センサであってもよいし、シャックハルトマンセンサを用いた波面センサであってもよいし、タルボット式波面センサ（詳しくは、本出願人による特開２００６−１４９８７１号公報参照）であってもよい。位相差方式の波面センサでは、眼底にスリット光束が投影され、その反射光束を受光素子によって検出したときの位相差信号が出力される（例えば、本出願人による特開平１０−１０８８３７号公報等を参照）。
【００１９】
実施例に係る本装置１は、測定光学系１００として、位相差信号の波面センサを有している。位相差方式では、位相差信号の処理結果として、被検眼における屈折度（つまり、正視眼からの屈折誤差）の分布データが得られる。そして、屈折度の分布データが、波面収差の分布データに変換される。波面収差の分布データは、被検眼全体の屈折に関する情報の一例であり、これは、屈折度の分布データ等の屈折力の形式で表現されたデータと、等価である。
【００２０】
本装置１は、更に、ケラトメータ、又はトポグラファー等の角膜形状測定光学系１００を有していてもよい。角膜形状測定光学系１００は、マイヤリング、プラチドリング等の指標光束を投影し、角膜に形成される指標像を前眼部正面画像として撮影する構成でもよいし、複数の経線方向に関して角膜の断面画像を撮影する構成でもよい。制御部３０は、前眼部正面画像、又は、複数の角膜断面画像を適宜処理することによって、角膜形状データを取得する。
【００２１】
また、本装置１は、被検眼の瞳孔部を含む前眼部画像を撮影する前眼部カメラ（図示せず）を有していてもよい。前眼部画像からは、例えば、被検眼の瞳孔径が測定可能である。このような前眼部カメラは、照明光の光量を切り替えて撮像可能な構成であってもよい。例えば、明所視（昼間時）および薄暮視（夜間時）のそれぞれにおける被検眼の前眼部画像が撮像されてもよい。この場合、本装置１は、明所視撮影用の第１の照明光量と、第１の照明光量よりも少ない薄暮視撮影用の第２の照明光量とに、照明光源出力が調節可能であってもよい。更に、本装置１は、前眼部カメラを用いて、被検眼の徹照像を撮影可能であってもよい。
【００２２】
次に、図２から図４を参照して、本装置１がモニタ５０に表示させる３つのレポート（基本情報レポート、シミュレーションレポート、および、眼図レポート）を詳細に説明する。前述したように、本実施例において、モニタ５０上には、３つのレポートのうち１つが、選択的にモニタ５０上に表示される。
【００２３】
各々のレポートには、種々の情報が含まれている。具体的には、被検眼における見え方を示したシミュレーション情報、および、被検眼の特性を示す情報、等のいずれかが含まれる。
【００２４】
被検眼の特性を示す情報には、検眼装置による被検眼の測定結果であって、眼球光学系の特性を示す情報が少なくとも含まれる。また、眼球光学系の特性を示す被検眼の撮影画像が、更に含まれてもよい。検眼装置による被検眼の測定結果の具体例として、被検眼全体の屈折に関する情報、角膜形状に関する情報、等が挙げられる。
【００２５】
ここで、被検眼全体の屈折に関する情報として、前述した被検眼の波面収差分布データ（屈折力の分布データの形式でもよい）が含まれていてもよい。波面収差分布データに関する情報は、二次元的なマップで示されてもよいし、数値として示されてもよい。基本情報レポートでは、二次元的なマップと、そのマップに関する数値（つまり、被検眼の収差に関する数値）とが、対応づけて示されてもよい。この数値は、瞳孔上の各位置と対応する波面収差分布データに基づいて算出されてもよい。数値は、屈折力（屈折誤差である場合を含む）の形式で表現されてもよく、例えば、瞳孔上の各位置と対応する波面収差分布データを考慮したＳ（球面度数）、Ｃ（柱面度数）、Ａ（乱視軸角度）の各値であってもよい。また、被検眼全体における高次収差成分が数値化されたものであってもよい。
【００２６】
なお、本装置１において各レポート中に示される被検眼全体の屈折情報は、少なくとも遠用測定に基づいて得られた情報である。この他に更に、被検眼に調節負荷が生じた状態での測定により得られた被検眼全体の屈折情報を本装置１は取得し、調節負荷時の屈折情報を、各レポートの中で表示してもよい。また、調節負荷時の屈折情報に基づいてシミュレーション情報（詳細は後述）を生成し、遠用測定時の屈折情報に基づくシミュレーション情報と共に、または、片方ずつ切り替えて、何れかのレポートの中で表示させてもよい。
【００２７】
角膜形状に関する情報としては、角膜表面の曲率情報、角膜表面のエベレーション（角膜の近似球面に対する高低差）情報、角膜における屈折分布に関する情報、角膜の断面形状情報等の少なくともいずれかが含まれる。これらの情報は、二次元的なマップで示されてもよいし、数値として示されてもよい。
【００２８】
シミュレーション情報は、被検眼全体の屈折情報に基づいて推定される被検眼における見え方をグラフィカルに示す情報である。シミュレーション情報は、裸眼での見え方を示す情報であってもよいし、矯正状態での見え方を示す情報であってもよい。
【００２９】
シミュレーション情報は、例えば、被検眼全体の屈折に関する情報に基づいて生成される。シミュレーション情報の具体例として、眼底面に形成される視標像のシミュレーション画像、ある条件が変化したときの被検眼の見え方の変化（「見え方の変化」は「見え方の質の変化」であってもよい）をシミュレーション結果として示した図またはグラフ等であってもよい。視標像のシミュレーション画像としては、例えば、眼底面での点像強度特性（point spread function；ＰＳＦ）を表した画像（以下、ＰＳＦ画像と称する）であってもよいし、自覚検査視標の見え方を表した画像であってもよい。
【００３０】
各レポートにおいて、昼間時と夜間時との間で変化する情報については、昼間時での情報と、夜間時での情報と、の両方が、同時に表示されてもよい。また、昼間時での情報と、夜間時での情報と、はいずれか一方が選択的に表示されてもよい。この場合、昼間時での情報と、夜間時での情報と、が所定の操作入力に基づいて切り替え表示されてもよい。昼間時での情報と、夜間時での情報と、の両方が表示されることで、昼間時と夜間時との間で変化する情報間時と夜間時との間での眼の状態の違いが、検者または被検者によって把握されやすくなる。このため、このような表示は、昼間時と夜間時との状態の違いが大きな眼の場合、夜間用の眼鏡の処方を、検者から被検者に提案するうえで有用である。
【００３１】
昼間時と夜間時とでは瞳孔径が変化し、更に、瞳孔径の変化に伴って眼全体の屈折に関する情報も変化する。このため、昼間時と夜間時との間で変化する情報の具体例としては、瞳孔径および眼全体の屈折に関する情報の他、シミュレーション情報、前眼部画像、等が挙げられる。
【００３２】
各レポートにおいて、左右の眼のそれぞれにおける情報が、同時に表示されてもよい。この場合、右眼に関する情報と、左眼に関する情報とが、画面上で左右に分けて配置されてもよい。
【００３３】
また、更に、本装置１では、眼鏡レンズのポジション情報が、いずれかのレポートにおいて示されてもよい。
【００３４】
眼鏡レンズのポジション情報は、被検眼または被検者の顔に対して、眼鏡レンズが配置される位置に関する情報である。ポジション情報の具体例としては、ＰＤ（瞳孔間距離：左右の眼の間隔）、ＶＤ（角膜頂点間距離：角膜頂点から眼鏡レンズの後面までの距離）等が挙げられる。各々のポジション情報は、実測値であってもよい。
【００３５】
＜基本情報レポート＞
３つのレポートのうち、まずは、基本情報レポートについて説明する。基本情報レポートは、２種以上の眼球光学系情報によって主に構成される。基本情報レポートには、専ら、検者に対して提供されるべき情報が集約されていることが好ましい。より詳細には、基本情報レポートには、被検眼の特性に関する情報のうちレンズ処方に活用される種々の情報が少なくとも集約されていることが好ましい。また、本実施形態において基本情報レポートには、眼鏡レンズのポジション情報についても、集約されている。
【００３６】
基本情報レポートには、被検眼の特性に関する情報として、被検眼全体の屈折に関する情報が少なくとも含まれることが好ましい。また、更に、角膜形状に関する情報が、被検眼の前眼部正面画像２０１ａ〜２０１ｄ、徹照像２０２ａ，２０２ｂ、瞳孔径等が、被検眼の特性に関する情報として含まれてもよい。
【００３７】
図２の基本情報レポートでは、被検眼の屈折情報の１つとして、被検眼の屈折度分布マップ２０４ａ〜２０４ｄが表示される。瞳孔上の各位置における屈折度（屈折誤差）を示したマップである。図２に示すように、屈折度分布マップ２０４ａ〜２０４ｄは、前眼部正面画像２０１ａ〜２０１ｄの瞳孔内に重畳表示される。本実施例において、屈折度分布マップ２０４ａ〜２０４ｄは、測定光学系１００から出力される位相差信号の処理結果として導出することができる。本実施例では、ボタン２０３の選択操作に応じて屈折度分布マップ２０４ａ〜２０４ｄが表示される。矯正レンズを処方した場合に、見え方が改善しやすい眼であるか否かを、屈折度分布マップ２０４ａ〜２０４ｄによって検者に把握させることができる。
【００３８】
図２では、屈折度分布マップ２０４ａ〜２０４ｄと対応付けて、瞳孔上の各位置と対応する波面収差分布データに基づくＳ、Ｃ、Ａの各値（図２における「ＷＦレフ値」）、および、高次収差成分を示す値が、それぞれ表示される。ＷＦレフ値は、自覚検査の初期値として活用可能である。また、高次収差の値が大きいほど、眼鏡レンズで矯正しても視力が改善しにくいことを、検者に把握させることができる。ＷＦレフ値と、高次収差の値とは、必ずしも両方同時に表示される必要はなく、いずれか一方のみが表示されてもよい。
【００３９】
また、図２では、更に、「レフ値」が、屈折度分布マップ２０４ａ〜２０４ｄと対応付けて表示される。本実施例にいう「レフ値」は、瞳孔上の一部の領域（具体的には、所定半径のリング状領域）における屈折度（屈折誤差）を、Ｓ、Ｃ、Ａの各値によって表している。「レフ値」は、所定半径のリング状領域における位相差信号から屈折度を求めることで導出される。本実施例において、「レフ値」は、参考値である。ＷＦレフ値の方が、被検眼の各位置における収差が考慮されているので、より最終的な処方値に近いものと考えられる。
【００４０】
また、図２では、前眼部正面画像２０１ａ〜２０１ｄと対応付けて、瞳孔径、および、瞳孔ずれが示される。瞳孔ずれは、測定軸と、瞳孔中心とのずれ量を示している。瞳孔ずれの値は、例えば、瞳孔間距離ＰＤを補正するために利用される。
【００４１】
また、昼間時と夜間時とでは瞳孔径が変化し、更に、瞳孔径の変化に伴って眼全体の屈折情報も変化する。そこで、基本情報レポートにおいて、被検眼全体の屈折に関する情報は、昼間時における情報と、夜間時における情報と、の両方が同時に表示される。この場合、昼間時における情報と、夜間時における情報と、は画面上の異なる領域に分かれて表示されてもよい。一例として、図２では、昼間時における被検眼全体の屈折に関する情報と、夜間時における被検眼全体の屈折に関する情報とが、画面の上下に分かれて表示されている。
【００４２】
また、本実施例では、ＷＦレフ値（瞳孔上の各位置と対応する波面収差分布データを考慮したＳ、Ｃ、Ａの各値）についての、昼間時における値と、夜間時における値との差分が、表示される。昼間時の屈折度を基準に矯正された被検眼では、差分が大きいほど、その矯正値では、夜間時における見え方が低下しやすいこととなる。本実施例では、上記の差分は、夜間時における屈折度分布マップ２０４ｂ，２０４ｄと対応づけて表示される。
【００４３】
図２の基本情報レポートでは、角膜形状に関する情報として、角膜曲率、角膜における収差、角膜の径（直径または半径）、および、角膜曲率マップ２０５ａ，２０５ｂ等が、表示されている。図２において、これらの情報は、画面上部にまとめて表示される。
【００４４】
また、図２では、角膜曲率マップ２０５ａ，２０５ｂ上に角膜の主経線が重畳表示される。例えば、角膜曲率は、コンタクトレンズを処方するために活用される。また、角膜曲率マップによって、円錐角膜等の角膜形状異常の疑いを、検者に容易に把握させることができる。また、角膜曲率マップ２０５ａ，２０５ｂは、例えば、レフ値における乱視成分が、角膜由来のものか否かを、検者が把握するうえで有用である
図２の基本情報レポートでは、徹照像２０２ａ、２０２ｂが表示される。徹照像２０２ａ、２０２ｂ中に混濁が確認される場合、眼鏡レンズで矯正しても混濁によって視力が改善しにくいことを、検者に把握させることができる。図２において、徹照像２０２ａ、２０２ｂは、画面上部にまとめて表示される。
【００４５】
図２において、角膜形状に関する情報、および、徹照像２０２ａ、２０２ｂのそれぞれは、眼光学系情報のうち、矯正レンズの処方により矯正できない成分の程度を、数値または画像によって表している。これらの情報によって、矯正レンズを処方した場合に、見え方が改善しやすい眼であるか否かを、検者に把握させることができる。
【００４６】
特に、図２では、角膜形状に関する情報、および、徹照像２０２ａ，２０２ｂが、被検眼全体の屈折に関する情報とは、分かれて（別々の領域に）表示される。このため、眼鏡の処方および自覚検査において、直接的に利用される被検眼全体の屈折に関する情報と、その検査等をすすめるうえでの参考情報（例えば、角膜形状に関する情報、および、徹照像２０２ａ）とを、検者に区別させやすい。
【００４７】
また、図２では、角膜形状に関する情報、および、徹照像２０２ａ，２０２ｂとが、隣りに並んで表示されるので、矯正レンズを処方した場合に、見え方が改善しやすい眼であるか否かを、いっそう容易に検者に把握させやすい。
【００４８】
また、図２の基本情報レポートでは、被検眼の特性に関する情報が、左右眼同時に表示される。より具体的には、左右それぞれの眼についての被検眼の特性に関する情報が、画面の左右に分かれて表示される。これにより、不同視であるか否かが、検者に容易に把握されやすい。
【００４９】
図２の基本情報レポートでは、眼鏡レンズのポジション情報として、瞳孔間距離ＰＤ、および、角膜頂点間距離ＶＤが、表示される。これらの値は、瞳孔間距離ＰＤは、眼鏡フレームに対するレンズ中心を決定するうえで参照される。また、角膜頂点間距離ＶＤは、矯正時のシミュレーション情報を得るうえで参照される。
【００５０】
＜シミュレーションレポート＞
シミュレーションレポートは、シミュレーション情報によって主に構成される。
【００５１】
シミュレーションレポートには、シミュレーション情報として、例えば、視標像のシミュレーション画像が含まれてもよいし、自覚検査の予測検査結果が含まれもよい。予測検査結果は、自覚検査における検査途中での結果を予測したものであってもよいし、最終的な自覚処方値を予測したものであってもよい。
【００５２】
例えば、図３に示すように、自覚検査用の視標についての見え方を示したシミュレーション画像３０１ａ〜３０１ｄが、シミュレーションレポートにおいて示されてもよい。自覚検査用の視標は、視力検査用視標、乱視標、スクリーニング用視標等のいずれであってもよい。図３では、視力検査指標がシミュレーション画像３０１ａ〜３０１ｄとして示されている。図３に示すように、自覚検査用の視標は、視標と対応する視力値と共に表示されてもよい。これによって、被検者の視力を、検者が推測できる。なお、図３では、予め定められた３種類の視力値（より詳細には、２０／１００、２０／４０、２０／２０）の見え方が、各々のシミュレーション画像３０１ａ〜３０１ｄにおいて示されている。
【００５３】
シミュレーションレポートでは、自覚検査用の視標に代えて、又は、自覚検査用の視標と共に、点視標のシミュレーション画像である，ＰＳＦ画像が示されてもよい。図３の例では、モニタ５０上のボタン（コントロールの一例）の選択操作によって、シミュレーションレポートにおいて、自覚検査用の視標が表示されるモードと、同レポートにおいて、ＰＳＦ画像が示されるモードと、に切り替えられる。
【００５４】
図３に示すように、シミュレーションレポートにおいて、シミュレーション画像３０１ａ〜３０１ｄと共に、ストレール比が示されてもよい。ストレール比は、ＰＳＦの最大強度分布として導出される。ストレール比が１に近いほど、コントラスト感度が高く、収差が少ない。ストレール比が表示されることで、検者および被検者は、見え方の質を、定量的に把握できる。
【００５５】
シミュレーションレポートには、裸眼での見え方を示すシミュレーション情報（以下、『裸眼シミュレーション情報』と称す）と、矯正状態での見え方を示すシミュレーション情報（以下、『矯正シミュレーション情報』と称す）と、が同時に、又は、切り替えて片方ずつ、表示されてもよい。図３では、裸眼シミュレーション情報の一例である裸眼シミュレーション画像３０１ａ，３０１ｂと、矯正シミュレーション情報の一例である構成シミュレーション画像３０１ｃ，３０１ｄと、が同時に表示されている。裸眼シミュレーション情報と、矯正シミュレーション情報との両方が表示されることで、眼鏡レンズによる見え方の改善を、検者および被検者に、容易に把握させることができる。
【００５６】
＜矯正レンズの度数設定＞
本装置１は、矯正シミュレーション情報として、新レンズ（これから処方する眼鏡レンズ）での矯正状態におけるシミュレーション情報が、少なくとも表示される。但し、必ずしもこれに限られるものではなく、旧レンズ（被検者が装用中の眼鏡のレンズ）での矯正状態におけるシミュレーション情報が、矯正シミュレーション情報の一種として、さらに表示されてもよい。旧レンズによる矯正シミュレーション情報と、新レンズによる矯正シミュレーション情報とは、同時に表示されてもよいし、切り替えて片方ずつ表示されてもよい。旧レンズによる矯正シミュレーション情報と、新レンズによる矯正シミュレーション情報との両方が表示されることで、新レンズによる見え方の改善効果を、被検者に把握させやすい。旧レンズの矯正度数は、例えば、旧レンズを測定したレンズメータから測定データが本装置１へ送信されることで、本装置１は取得してもよいし、操作部を介して矯正度数が入力されてもよい。
【００５７】
新レンズでの矯正シミュレーション情報は、最高視力が得られるレンズが装用された状態での見え方を示すものであってもよい。通常、眼鏡店に在庫される眼鏡レンズは、その矯正度数が所定度数刻み（例えば、球面度数に関しては、０．２５Ｄ刻み等）である。そこで、例えば、予め定められた複数の度数であって、所定度数刻み（所定度数ステップ）の度数の中から、被検眼にとって最高視力が得られる度数が、被検眼の屈折情報（例えば、レフ値、屈折誤差の分布情報、収差情報等のいずれか）に基づいて選択されてもよい。そして、選択された度数にて矯正された見え方が、新レンズでの矯正シミュレーション情報において示されてもよい。最高視力が得られる度数が複数ある場合、それらの度数の中で、最もレンズの厚みが薄くなる度数が、シミュレーションされる眼鏡レンズの度数として選択されてもよい。勿論これに限られるものではなく、最高視力が得られる度数が複数ある場合、それらの度数の中で、最もプラス寄りの度数、最もマイナス寄りの度数等、適宜定められていてもよい。  勿論、新レンズでの矯正シミュレーション情報は、必ずしも所定度数刻みの度数で矯正された状態がシミュレーションされたものに、必ずしも限定されない。例えば、矯正シミュレーション情報は、被検眼の低次収差成分が完全に矯正された見え方を示すものであってもよい。また、新レンズでの矯正シミュレーション情報として、所定度数刻みの度数にて矯正された見え方を示すものと、低次収差成分が完全に矯正された見え方を示すものと、が同時に、又は、切り替えて片方ずつ、表示されてもよい。
【００５８】
以上の通り、本装置１において、シミュレーションにおける新レンズの度数は、検眼装置での収差測定の結果に基づいて、自動的に設定される。但し、自動的に設定された値から、検者の操作によって、新レンズの度数を変更可能であってもよい。操作部を介して、任意の度数が入力されたり、所定度数刻みの度数の増減指示が入力されたりすることで、シミュレーションにおける新レンズの度数として、新たな値が反映されてもよい。そして、新たな値に基づいて、シミュレーション情報が更新されてもよい。
【００５９】
以下の説明において、本装置１は、裸眼波面収差情報に基づいて、いずれかの矯正度数を持つ矯正レンズの処方を想定した被検眼の矯正波面収差データが演算され、更に、矯正波面収差データを処理することによって矯正シミュレーション情報が取得されるものとして説明を行う。より詳細な矯正波面収差データの演算方法は、例えば、本出願人による国際公開番号：ＷＯ２０１３／１５１１７１等を参照されたい。
【００６０】
また、図３におけるシミュレーションレポートには、コントラスト視力を示すグラフ３０２ａ，３０２ｂが、シミュレーション情報の一例として表示される。コントラスト視力は、ＭＴＦ（空間周波数特性）に基づいて導出されてもよい。なお、ＭＴＦは、ＰＳＦのフーリエ変換によって得られるＯＴＦ（光伝達関数）の絶対値である。裸眼状態でのコントラスト視力は、裸眼波面収差データに基づくＭＴＦから、矯正状態でのコントラスト視力は、矯正波面収差データに基づくＭＴＦから、それぞれ導出することができる。
【００６１】
グラフ３０２ａ，３０２ｂは、コントラストの大きさ毎の視力値を示すものであてもよい。例えば、図３に示すように、縦軸と横軸との一方をコントラスト、他方を視力値とするものであってもよい。
【００６２】
グラフ３０２ａ，３０２ｂには、被検眼の裸眼でのコントラスト視力を示すデータ３１１、矯正状態でのコントラスト視力を示すデータ３１２、正視眼におけるコントラスト視力を示すデータ３１３が、同時に示される。正視眼におけるコントラスト視力を示すデータ３１３は、予め行われた複数の被検者に対するコントラスト視力の測定結果に基づく参考値である。図３において、正視眼におけるコントラスト視力を示すデータは、例えば、屈折誤差が所定度数未満（例えば、０．５Ｄ未満）であって、一定年代に属する被検者に対する測定結果から導出されている。
【００６３】
図３において、各データ３１１、３１２、３１３は、折れ線グラフの形式で表現される。
【００６４】
これら３種類のデータ３１１、３１２、３１３は、何れも１つのグラフの中で表示される。被検眼の裸眼でのコントラスト視力を示すデータ３１１、矯正状態でのコントラスト視力を示すデータ３１２、のそれぞれによって、裸眼状態、および、矯正状態のそれぞれにおける、コントラストの大きさ毎の視力を、検者および被検者が容易に理解することができる。また、それらを、正視眼におけるコントラスト視力を示すデータ３１３と見比べる。これにより、例えば、コントラストを改善させる機能を持ったレンズ（例えば、カラーレンズ）の処方を、検者から被検者へ提案する際に有用である。また、コントラスト視力が低い場合、中間透光体の混濁、および、網膜機能の低下等の視機能の異常または低下が推察される。このため、グラフ３０２ａ，３０２ｂによって、検者および被検者は、視機能の異常または低下の疑いの有無を容易に把握することができる。
【００６５】
図３では、シミュレーション画像３０１ａ〜３０１ｄとして示される視標と対応する視力値が、図３のグラフ３０２ａ，３０２ｂにおいて強調表示される。例えば、グラフ３０２ａ，３０２ｂでは、視力値２０／１００、２０／４０、２０／２０の３箇所において、縦線が表示され、これにより、視力値が強調されている。
【００６６】
ここで、図３のグラフ３０２ａ，３０２ｂにおける矯正状態でのコントラスト視力を示すデータ３１２は、前述の所定度数刻みの矯正度数を用いてシミュレーションされる。眼鏡店に在庫されるレンズで矯正された場合におけるコントラスト視力がシミュレーションされるので、コントラストを改善させる機能を持ったレンズの提案を、より好適に行いやすい。
【００６７】
図３では、昼間時と夜間時とのそれぞれにおける、シミュレーション画像３０１ａ〜３０１ｄおよびグラフ３０２ａ，３０２ｂが、同時に表示される。（昼間時用の）矯正レンズが処方されたときの見え方がそれぞれにおいて示される、昼間時でのシミュレーション情報と、夜間時でのシミュレーション情報と、の間に大きいな違いが確認される場合、昼間時用と夜間時用とで、２種類の眼鏡を処方すべきであることを、検者および被検者が容易に把握できる。
【００６８】
また、図３に示す各々のシミュレーション画像３０１ａ〜３０１ｄ、および、グラフ３０２ａ，３０２ｂは、いずれも、昼間時における被検眼全体の屈折に関する情報に基づいて矯正度数が設定され、その矯正度数を用いて導出されたものである。つまり、昼間時用の矯正レンズが装用されたときのシミュレーション情報が示されている。但し、必ずしもこれに限られるものではなく、夜間時用の矯正レンズが装用されたときのシミュレーション情報が、シミュレーションレポートにおいて示されてもよい。夜間時用の矯正レンズが装用されたときのシミュレーション情報が表示されることで、夜間時用のレンズを処方することの意義を、検者および被検者が容易に把握できる。
【００６９】
夜間時用の矯正レンズが装用されたときのシミュレーション情報（例えば、シミュレーション画像およびグラフのいずれか）は、夜間時における被検眼全体の屈折に関する情報に基づいて矯正度数が設定され、その矯正度数を用いて導出される。昼間時用の矯正レンズが装用されたときのシミュレーション情報、および、夜間時用の矯正レンズが装用されたときのシミュレーション情報は、同時に、又は、切り替えて片方ずつ、表示されてもよい。
【００７０】
また、新レンズにおいて想定される装用環境に応じたコントラストの値を、グラフ３０２ａ，３０２ｂ上で強調して示してもよい。このようなグラフ３０２ａ，３０２ｂによって、新レンズにおいて想定される装用環境に応じたコントラストにおける矯正状態での視力値（コントラスト視力）を、検者および被検者に確認させることができる。
【００７１】
例えば、新レンズの装用環境として、夜間における車両の運転時が想定される場合、夜間の路上障害物または歩行者等と、背景と、のコントラストの値が、いずれかのグラフ３０２ａ，３０２ｂ上で（例えば、夜間時のコントラスト視力を示すグラフ３０２ｂ上がより好ましい）強調されてもよい。これにより、夜間における車両の運転時における障害物等の視認性を、検者および被検者に把握させることができる。
【００７２】
なお、予め用意された複数の装用環境の中から、新レンズの装用環境が、操作部３５への操作入力に基づいて選択されてもよい。選択の結果、選択された装用環境に対し、予め設定されたコントラストの値が、グラフ３０２ａ，３０２ｂ上で強調される。
【００７３】
図３のシミュレーションレポートでは、左右切換ボタン３０３ａ，３０３ｂの操作に応じて、片眼毎のシミュレーション情報が切換表示される。しかし、必ずしもこれに限られるものではなく、両眼のシミュレーション情報が同時に表示されてもよい。
【００７４】
＜眼図レポート＞
眼図レポートは、眼球モデル画像４０１と、被検眼の特性に関する情報、および、シミュレーション情報の一方または両方と、によって構成される。被検眼の特性に関する情報、およびシミュレーション情報のうち少なくとも一部は、眼球モデル画像４０１と対応付けられて表示される。
【００７５】
ここで、被検眼の特性に関する情報およびシミュレーション情報（便宜上、２つをまとめて「眼球光学系情報等」と称す）と、眼球モデル画像４０１と対応づけの態様を、より具体的に説明する。例えば、眼球モデル画像４０１の眼球部位毎に、眼球部位と関連する眼球光学系情報等が接近または重畳された状態で配置されることによって、眼球光学系情報等と眼球モデル画像４０１とが対応づけられてもよい。ある眼球部位と関連する眼球光学系情報等は、例えば、その眼球部位についての測定結果、撮影結果、当該部位における結像の何れかを示す情報であってもよい。
【００７６】
また、例えば、眼球光学系情報等と対応部位との対応付けを示すシンボル（例えば、線、矢印、吹き出し等）が用いられてもよい。また、ポインティングデバイス等による眼球モデル画像４０１上のいずれかの部位に対する選択操作を受け付けた場合に、選択された部位と対応する眼球光学系情報等を強調表示（具体例としては、拡大表示、点滅表示、ポップアップ表示等）することで、対応付けが表されてもよい。
【００７７】
例えば、図４に示す眼図レポートにおける眼球モデル画像４０１では、眼底に、眼底における点像の結像を示すＰＳＦ画像４０２ａ，４０２ｂが、水晶体に、主に水晶体の混濁を示す撮影画像である徹照像４０３が、前眼部に、前眼部の正面反射画像４０４ａ，４０４ｂが、角膜に、角膜曲率マップ４０５が、それぞれ対応づけられている。また、図４では、眼底で反射されて眼の外に導かれる光束を示す円錐形状のグラフィック４０６が、眼球モデル画像４０１上に描写されている。このグラフィック４０６は、被検眼の透光体全体と対応するものである。例えば、眼球外での円錐の底面部分（又は、断面）からは、眼底反射光の波面を、検者等が想起しやすい。図４に示すように、このようなグラフィック４０６には、例えば、屈折度分布マップ４０７ａ，４０７ｂが対応づけられてもよい。
【００７８】
また、図４では、屈折度分布マップ４０７ａ，４０７ｂを中継して、グラフィック４０６に、自覚検査用の視標についての見え方を示したシミュレーション画像４０８ａ，４０８ｂが対応づけられている。これにより、被検者における見え方と屈折分布との関係性が、被検者おいて直感的に理解されやすくなる。
【００７９】
以上のような眼球光学系情報と眼球モデル画像との対応づけ表示によって、被検者において馴染みの薄い眼球光学系情報およびシミュレーション情報の意味を、検者から被検者へ説明しやすくなる。
【００８０】
図４では、画面上に表示される各種情報のうち、昼間時と夜間時とで変化する情報については、昼間時における値（データ）と、夜間時における値（データ）と、の両方が、同時に表示される。具体的には、ＰＳＦ画像４０２ａ，４０２ｂ、前眼部の正面反射画像４０４ａ，４０４ｂ、屈折度分布マップ４０７ａ，４０７ｂ、および、自覚検査用の視標のシミュレーション画像４０８ａ，４０８ｂ、の昼間時および夜間時のそれぞれのデータが同時に表示される。これにより、昼間時と夜間時とにおける眼の各部の状態の違い、又は、見え方の違い等を比較して説明しやすい。
【００８１】
眼図レポートにおけるシミュレーション情報は、裸眼シミュレーション情報と、矯正シミュレーション情報と、が同時に、又は、切り替えて片方ずつ、表示されてもよい。図４の例では、モニタ５０に表示される裸眼シミュレーション選択ボタン４０９と、矯正シミュレーション選択ボタン４１０と、のうち一方が選択されることで、選択された一方に関するシミュレーション情報が、切換表示される。
【００８２】
また、図４では、シミュレーション情報に対応づけて、高次収差成分を示す数値が表示される。この数値が大きい場合、矯正の効果が得られ難い被検眼であることを、この数値を用いて、検者から被検者へ説明しやすい。なお、図４では、昼間時での数値と、夜間時における数値と、の両方が表示される。このため、昼間時での数値と、夜間時における数値と、の差が大きい場合に、角膜または水晶体の周辺側で収差が大きく、夜間における見え方が改善し難いことを、検者から被検者へ説明しやすい。
【００８３】
＜各レポートの切換方法＞
選択的に表示される任意のレポートから、別の任意のレポートへ、モニタ５０上に表示されるレポートを切換可能であってもよい。表示切換は、モニタ５０上のコントロール（例えば、ボタン、タブ、アイコン等）に対する１回の選択操作（例えば、モニタ５０上のタブおよびボタン等への１クリックまたは１タップ）に基づいて実行されてもよい。例えば、本実施例では、３つのレポートとそれぞれ対応するレポート選択タブ５０１，５０２，５０３が、いずれのレポートとも一緒にモニタ５０に表示される。いずれか１つのタブを選択する選択操作が入力されることで、選択されたタブと対応するレポートがモニタ５０上に表示されるようになる。なお、実施例では、第１タブ５０１が基本情報レポートと、第２タブ５０２がシミュレーションレポートと、第３タブ５０３が眼図レポートと、それぞれ対応する。
【００８４】
本実施例において、いずれのレポートにおいても、各タブ５０１，５０２，５０３の選択操作は受け付け可能であり、また、１単位の選択操作で選択されたタブと対応するレポートが切換えて表示される。ここでいう１単位の選択操作は、マウスに対する１回のクリック、タッチパネルに対する１回のタップ等、コントロールを選択するうえでの最小限の操作である。
【００８５】
各タブ５０１〜５０３には、それぞれのタブと対応するレポートをシンボル化したアイコンが表示されている。アイコンは、各レポートにおいて固有のグラフィックがシンボル化されていてもよい。例えば、第２タブ５０２には、シミュレーシシミュレーションレポートのみで表示される自覚検査用視標のシミュレーション画像がシンボル化されたアイコンが設けられており、第３タブ５０３には、眼図レポートのみで表示される眼球モデル画像がシンボル化されたアイコンが設けられている。なお、第１タブ５０１は、基本情報レポートが、検者向けのレポートであることを示すため、カルテを模したアイコンが設けられている。
【００８６】
なお、タブ５０１〜５０３の配置順序は、操作部の操作によって任意に入れ替え可能であってもよい。例えば、検者が、ポインティングデバイスを介していずれかのタブ５０１〜５０３を選択し、上下にドラッグすることで、ドラッグに応じた配置順序が設定されてもよい。例えば、検者または被検者が閲覧する順序で、タブを並び替えることで、各レポートの閲覧および検者から被検者への説明が容易になる。
【００８７】
＜データの出力＞
本実施例では、各レポートに表示される出力ボタン６０１，６０２が選択されることで、本装置１の外部に、データが出力される。
【００８８】
ボタン６０１は、自覚検眼装置へデータを送信するために選択される。ボタン６０１には、自覚検眼装置（レフラクター）を模したアイコンが付されている。本実施例では、ボタン６０１が選択された場合、ＷＦレフ値が、本装置１から自覚検眼装置へ少なくとも送信される。これに限らず、シミュレーション画像等のシミュレーション情報が、ボタン６０１が選択された場合に送信されてもよい。また、ボタン６０１の操作に基づいて自覚検眼装置へ送信されるデータは、昼間時でのデータであってもよいし、夜間時でのデータであってもよい。これらの何れが送信されるかについて、検者が選択可能であってもよい。
【００８９】
なお、ボタン６０２は、各レポートをプリントアウトする場合に選択される。
【００９０】
以上、本装置１では、『基本情報レポート』『シミュレーションレポート』『眼図レポート』の３種類を、選択的にモニタ５０に表示させる。基本情報レポートは、レンズ処方において活用される種々の情報が集約されているので、検者が、自覚検査、および、新レンズの処方値を定めるために利用される。また、シミュレーションレポートは、シミュレーション情報が集約されており、矯正状態での被検眼の見え方を示すシミュレーション画像が少なくとも含まれる。これにより、新レンズによる矯正状態での被検眼の見え方を、検者および被検者に把握させることができる。また、眼図レポートは、基本情報レポートに含まれる情報の少なくとも一部であって、矯正シミュレーション画像での見え方に影響する情報が、眼図モデル画像における部位ごとに対応づけられて表示される。これにより、矯正シミュレーション画像として明瞭なシミュレーション画像が、シミュレーションレポートにて示されない場合に、どのような要因（眼球光学系情報）に起因するものであるかを、検者から被検者に対して簡単に説明しやすい。このように、本装置１が表示する３種類のレポートは、被検者に対して新レンズの効果を適正に示し、且つ、検者がその新レンズを処方するうえで、有用である。
【００９１】
以上、実施形態に基づいて説明を行ったが、本開示は、上記実施形態に限定されることなく、様々な変形が可能である。
【００９２】
例えば、上記実施形態では、基本情報レポート、シミュレーションレポート、眼図レポートの３つのレポートを選択的に表示可能であったが、かならずしもこれに限られるものではない。
【００９３】
例えば、基本情報レポートと、眼図レポートとの２つのレポートのみの間で、レポートを選択的に表示可能であってもよい。この場合、眼図レポートは、上記実施形態におけるシミュレーションレポートの役割を兼用するものであって、矯正シミュレーション情報が少なくとも含まれていることが好ましい。また、更に、眼図レポートにおいては、その矯正シミュレーション情報による見え方に影響を与える被検眼の特性に関する情報の少なくとも一部が、眼球モデル画像における各々の眼球部位と対応付けられて表示されることが好ましい。このような変容例では、より少ないレポートの数で、好適に矯正レンズの処方を行いやすい。  これに対し、上記実施形態で示したように、シミュレーション情報は、種々のものがあるので、種々のシミュレーション情報が含まれるレポートは、画面構成が複雑になりやすいが、上記実施形態では、これが独立したレポートで（基本情報レポート、および、眼図レポートとは別のレポートとして）表示されるので、各レポートが理解されやすくなっている。
【００９４】
また、例えば、矯正状態での被検眼の見え方を示すシミュレーション情報として、矯正レンズに「くもり」が生じたときにおけるシミュレーション情報が表示されてもよい。シミュレーションされる「くもり」の程度に応じた所定の収差を考慮して、シミュレーション演算が行われることで、「くもり」が生じたときにおけるシミュレーション情報を取得してもよい。
【符号の説明】
【００９５】
１        レンズ処方補助装置
３０      ＣＰＵ
３１      記憶部（メモリ）
５０      モニタ
【図１】
2018038497.tif 000003
【図２】
2018038497.tif 000004
【図３】
2018038497.tif 000005
【図４】
2018038497.tif 000006